(57)【要約】【課題】移動無線ネットワークの同期信号を受信するための受信方法、および、移動無線信号用の送受信素子を実現する。【解決手段】各種実施形態では、移動無線ネットワークの同期信号を受信するための受信方法が提供される。この受信方法は、移動無線信号用の送受信素子を用いて専用の通信リンクを介してある移動無線ネットワークと通信を行う工程と、専用の通信リンクにおける伝送ギャップ期間中に上記送受信素子を用いて別の移動無線ネットワークの同期信号を受信する工程と、を含んでいる。上記受信方法では、上記送受信素子に対して、上記他の移動無線ネットワークの信号を受信するための設定が上記専用の通信リンクとは別個に行われない。【選択図】図３
2012016019.tif 000002
【特許請求の範囲】
【請求項１】
移動無線ネットワークの同期信号を受信する受信方法において、
移動無線信号用の送受信素子を用いて専用の通信リンクを介してある移動無線ネットワークと通信を行う通信工程と、
上記専用の通信リンクにおける伝送ギャップ期間中に上記送受信素子を用いて他の移動無線ネットワークの同期信号を受信する受信工程と、を含み、
上記送受信素子に対して、上記他の移動無線ネットワークの信号を受信するための設定が上記専用の通信リンクとは別個に行われない受信方法。
【請求項２】
上記受信工程は、上記ある移動無線ネットワークの測定ジョブとは別個に上記同期信号を受信する工程である、請求項１に記載の受信方法。
【請求項３】
上記伝送ギャップは上記ある移動無線ネットワークの測定ジョブ用に設定されており、
上記測定ジョブが実行されていない間に上記受信工程が行われる、請求項１に記載の受信方法。
【請求項４】
上記受信工程は、上記専用の通信リンクを上記ある移動無線ネットワークから上記他の移動無線ネットワークにハンドオーバーするハンドオーバー処理の一部としては行われない、請求項１に記載の受信方法。
【請求項５】
さらに、上記専用の通信リンクを終了する終了工程と、
上記終了工程の後に、上記専用の通信リンクとは別個に、上記他の移動無線ネットワークへの別の専用の通信リンクを、受信した上記同期信号に基づいて確立する工程と、を含んでいる請求項１に記載の受信方法。
【請求項６】
さらに、上記送受信素子を用いて、上記専用の通信リンクにおける伝送ギャップ期間中に上記他の移動無線ネットワークのシステム情報メッセージを受信する工程を含んでいる、請求項１に記載の受信方法。
【請求項７】
移動無線カードに格納されている承認情報項目を上記ある移動無線ネットワークに送信する工程と、
別の移動無線カードに格納されている承認情報項目を上記他の移動無線ネットワークに送信する工程と、を含んでいる、請求項１に記載の受信方法。
【請求項８】
上記ある移動無線ネットワークがあるネットワークオペレータに割り当てられ、上記他の移動無線ネットワークが別のネットワークオペレータに割り当てられている、請求項１に記載の受信方法。
【請求項９】
移動無線信号用の送受信素子であって、
専用の通信リンクを介してある移動無線ネットワークと通信を行うように構成されており、
上記専用の通信リンクにおける伝送ギャップ期間中に他の移動無線ネットワークの同期信号を受信するように構成されており、
上記他の移動無線ネットワークの信号を受信するための設定が上記専用の通信リンクとは別個に行われない送受信素子。
【請求項１０】
さらに、上記ある移動無線ネットワークの測定ジョブとは別個に上記同期信号を受信するように構成されている、請求項９に記載の送受信素子。
【請求項１１】
さらに、上記伝送ギャップが設定される上記ある移動無線ネットワークの測定オブジェクトを実行しないように構成されており、代わりに、上記同期信号を受信する、請求項９に記載の送受信素子。
【請求項１２】
さらに、上記専用の通信リンクを上記ある移動無線ネットワークから上記他の移動無線ネットワークにハンドオーバーするハンドオーバー処理の外側で、上記同期信号を受信するように構成されている、請求項９に記載の送受信素子。
【請求項１３】
さらに、上記専用の通信リンクを終了するように構成されており、
上記専用の通信リンクを終了した後に、上記専用の通信リンクとは別個に、上記他の移動無線ネットワークへの別の専用の通信リンクを、受信した上記同期信号に基づいて確立するように構成されている、請求項９に記載の送受信素子。
【請求項１４】
さらに、上記専用の通信リンクにおける伝送ギャップ期間中に上記他の移動無線ネットワークのシステム情報メッセージを受信するように構成されている、請求項９に記載の送受信素子。
【請求項１５】
さらに、移動無線カードに格納されている承認情報項目を上記ある移動無線ネットワークに送信するように構成されており、
別の移動無線カードに格納されている承認情報項目を上記他の移動無線ネットワークに送信するように構成されている、請求項９に記載の送受信素子。
【請求項１６】
送受信素子を備えた移動無線端末であって、
上記送受信素子が、専用の通信リンクを介してある移動無線ネットワークと通信を行うように構成され、上記専用の通信リンクにおける伝送ギャップ期間中に他の移動無線ネットワークの同期信号を受信するように構成され、上記他の移動無線ネットワークの信号を受信するための設定が上記専用の通信リンクとは別個に行われない送受信素子であるような移動無線端末。
【発明の詳細な説明】
【技術分野】
【０００１】
各実施形態は、移動無線ネットワークの同期信号を受信するための受信方法、および、移動無線信号を送受信するための送受信素子に関する。
【背景技術】
【０００２】
〔関連出願の相互参照〕
本出願は、２０１０年７月１日に出願された米国仮出願第６１／３６０５２７号、および、同日に出願された独国特許出願第１０２０１００２５７９６号の各出願を基礎として優先権を主張するものであり、その全体が参照により本明細書に組み込まれている。
【０００３】
〔背景技術〕
例えば移動電話のような移動無線端末は、移動無線ネットワーク内で通常の処理を行うためには、移動無線カードが必要である。移動無線カードは、移動無線ネットワーク内でユーザを識別するために用いられる加入者識別モジュール（ＳＩＭ）を内包するチップカードであるため、ＳＩＭカードとも呼ばれる。
【０００４】
同時に２枚のＳＩＭカードを用いることが可能な移動無線端末は、２つのＳＩＭカードを各々対応する移動無線ネットワークで同時に独立して動作させるためには、２つの互いに独立した移動無線信号用の送受信素子か、または、並列データパスが互いに独立して機能するために必要なデュアル構成の部品を備えた送信素子および受信素子を必要とする。
【０００５】
同時に２枚のＳＩＭカードを用いることが可能な移動無線端末であって移動無線信号用の送受信素子をたかだか１つしか備えていない移動無線端末は、２枚のＳＩＭカードの一方しか機能させることができない。換言すれば、デバイスのユーザは、２枚のＳＩＭカードおよび各ＳＩＭカードに結びついている移動通信ネットワークを、必要に応じて交互に切り替えなければならない。
【発明の概要】
【発明が解決しようとする課題】
【０００６】
同時に２枚のＳＩＭカードを用いることが可能な移動無線端末では、２枚のＳＩＭカードおよび各ＳＩＭカードに結びついている移動通信ネットワークを迅速に切り替えるフレキシブルな動作方法が、２つの互いに独立した移動無線信号用の送受信素子に相当する費用および移動無線信号用の２つの互いに独立したデータパスに相当する費用よりも少ない費用で提供されることが望ましい。
【課題を解決するための手段】
【０００７】
移動無線ネットワークの同期信号を受信する受信方法は、移動無線信号用の送受信素子を用いて専用の通信リンクを介してある移動無線ネットワークと通信を行う工程と、上記専用の通信リンクにおける伝送ギャップ期間中に上記送受信素子を用いて他の移動無線ネットワークの同期信号を受信する工程とを含み、上記受信方法では、上記送受信素子に対して、上記他の移動無線ネットワークの信号を受信するための設定が上記専用の通信リンクとは別個に行われない。
【図面の簡単な説明】
【０００８】
図面において、同様の参照文字は、概して、同一の部材を指しており、適切である場合、各図を通じて同一の部材を指している。図面は、必ずしも縮尺通りではなく、概して発明の原理を示すことに重きを置いたものとなっている。次の発明を実施するための形態では、次の図面を参照して発明の様々な実施形態について説明する。
【図１】図１は、２つのＳＩＭカードを備えた移動通信端末が２つの移動通信ネットワークにおいて同時処理を行うシナリオ、並びに、本発明の実施形態に係る移動無線信号用の送受信素子および移動通信端末を示す図である。
【図２】図２は、本発明の一実施形態に係る方法における、動作パターンの経時変化を示す図である。
【図３】図３は、本発明の一実施形態に係る移動無線ネットワークの同期信号を受信する受信方法が示されているフローチャート図である。
【発明を実施するための形態】
【０００９】
以下の詳細な説明は、本発明を実施可能な特定の細部および実施形態を例示によって表している添付の図面を参照して行われる。
【００１０】
本明細書で用いられる「好適な」という用語は、「具体例である」という意味で用いられる。本明細書で「好適な」と記載されている任意の実施形態または設計は、必ずしも、他の実施形態または設計に対して好ましいまたは有利であると解釈すべきではない。
【００１１】
本明細書中で、「リンク」という用語は、直接的なリンクおよび間接的なリンクの両方を表しており、「接続」という用語は、直接的または間接的な接続を表しており、「連結」という用語は、直接的または間接的な連結を表している。
【００１２】
まず、図１は、２つのＳＩＭカードを備えた移動通信端末が２つの移動通信ネットワークにおいて同時処理を行うシナリオを示している。
【００１３】
例として移動電話が挙げられる移動通信端末１００は、ＳＩＭカード（移動無線カード）Ａ １１０に含まれている加入者識別モジュール（ＳＩＭ）によって、移動無線ネットワーク１内で動作可能である。移動無線ネットワーク１は、図１において、無線セルＡ １２０で表されている。無線セルＡ １２０は、基地局Ａ １３０によって提供される。
【００１４】
さらに、移動通信端末１００は、ＳＩＭカード（移動無線カード）Ｂ １４０に含まれている加入者識別モジュール（ＳＩＭ）によって、移動無線ネットワーク２内で動作可能である。移動無線ネットワーク１は、図１において、無線セルＢ １５０で表されている。無線セルＢ １５０は、基地局Ｂ １６０によって提供される。
【００１５】
これに関して、数枚のＳＩＭカードによって同時処理を行うことが可能な携帯電話であってたかだか１つの送受信ユニットしか備えていない携帯電話には、そのうちの１枚のＳＩＭカードでの専用のリンク期間中に他のＳＩＭカードに関するネットワークからはいかなる信号も受信できないという技術的な問題が生じる。この問題は、例えば、端末内の単一の送受信ユニットに専用のリンクが割り当てることが必須であるような方法において想定される。
【００１６】
結果として、他のネットワークとの同期が失われ、他のＳＩＭカードに関するネットワークとの接続を専用のリンクの終了後即座に確立することできなくなる。専用のリンクが終了した時点で他のＳＩＭカードに関するネットワークと時間領域および周波数領域で再び同期をとらねばならず、結果として、この期間中には端末はネットワークに辿りつくことができない。この期間は、ＧＳＭ（Global System for Mobile Communications）の移動無線標準では、一般に５０ミリ秒から数秒となる。
【００１７】
本発明の一実施形態によれば、単一のベースバンドユニットおよび単一の無線周波数トランシーバ（送信機および受信機）で複数のＳＩＭカードを動作させる場合において、特定の携帯無線ネットワークを介した専用のデータリンク期間中または専用の音声リンク期間中に各種移動無線ネットワークに関する受信した複数の無線セルとの同期状態を維持する方法が提供される。
【００１８】
本発明の一実施形態によれば、専用の通信リンクを介した移動無線ネットワークとの通信が、移動無線信号の送受信素子を用いてある移動通信ネットワークの同期信号を受信する工程と、上記送受信素子を用いた上記専用の通信リンクにおける送信ギャップ期間中に他の移動無線ネットワークの同期信号を受信する工程と、を含み、上記送受信素子に対しては上記他の移動無線ネットワークの信号を受信するための設定が上記専用の通信リンクとは別個に行われないような方法で、行われる。
【００１９】
本発明の一実施形態によれば、専用の通信リンクを介して移動無線ネットワークとの通信を行うための設定が移動無線信号の送受信素子に対して行われる。また、送受信素子には、上記専用の通信リンクにおける送信ギャップ期間中に他の移動無線ネットワークの同期信号を受信するための設定も行われる。この構成において、上記送受信素子に対しては上記他の移動無線ネットワークの信号を受信するための設定が上記専用の通信リンクとは別個に行われない。移動無線端末１００の送受信素子１７０が、そのような送受信素子である。
【００２０】
本発明の一実施形態によれば、移動無線端末は、一実施形態に従って設定される送受信素子を備えている。移動無線端末１００が、そのような移動無線端末である。
【００２１】
図２は、様々な実施形態に係る方法における、動作パターンの経時変化を示す図（２００）である。
【００２２】
「動作パターン」軸２０５に沿って送受信素子１７０（図１を参照）の動作がプロットされる。「ネットワーク１」２１０の場合には、移動無線ネットワーク１、すなわち、無線セルＡ １２０（図１参照）に関する送受信素子１７０の動作がプロットされ、「ネットワーク２」２１５の場合には、移動無線ネットワーク２、すなわち、無線セルＢ １５０（図１参照）に関する送受信素子１７０の動作がプロットされる。「時間」軸２２０は、各動作の経時変化を示す時間軸である。
【００２３】
「キャンプ（Camped）」領域２２５において、「ページングメッセージ（Paging message）」または移動無線ネットワーク１のパイロットチャンネル「Ｐ」２３０の信号が受信され、これにより、比較的大きなギャップの中断が発生している。「キャンプ」領域２３５において、「ページングメッセージ」または移動無線ネットワーク２のパイロットチャンネル「Ｐ」２４０の信号が受信され、これにより、比較的大きなギャップの中断が発生している。「キャンプ」という用語は、専用の双方向の通信リンクが行われることなく無線セルに登録されたことを示す「セルにキャンプオンされた（camped on a cell）」という技術用語に関するものである。
【００２４】
「アクセス手続」領域２４５において、移動無線ネットワーク１への専用の双方向の通信リンクが確立される。
【００２５】
「専用」領域２５０において、移動無線ネットワーク１、すなわち、無線セルＡ １２０への専用の双方向の通信リンクがそれぞれ（図１参照）存在する。専用リンクの期間中、複数の期間２５５において送受信素子１７０と無線セルＡ １２０（図１参照）との間でデータが交換される。
【００２６】
移動無線ネットワーク１から見ると、期間２５５と期間２５５との間に伝送ギャップ２６０が設けられる。例えば、ネットワークによって発行された移動無線端末１００（図１参照）に対する測定ジョブを実行し、移動無線端末１００がその結果を上記ネットワークに通知しなければならないために、伝送ギャップ２６０は設けられる。
【００２７】
本発明の一実施形態によれば、専用リンクの伝送ギャップ期間中に他のネットワークの同期信号が受信される。これによって、他のネットワークの同期情報が、対応するセルを受信可能である場合にアップデートされる。あるネットワークとの専用リンクの終了後即座に、再度他のネットワークに到達することができ、または、上記他のネットワークに自らアクセスすることができる。
【００２８】
「アクセス制限」領域２６５において、移動無線ネットワーク２の同期情報が短いタイムインターバル「Ｓ」２７０で受信される。タイムインターバル「Ｓ」２７０は、移動無線ネットワーク１への専用リンクにおける伝送ギャップ２６０に相当するか、あるいは、伝送ギャップ２６０内の期間に含まれるタイムインターバル「Ｓ」２７０は、伝送ギャップ２６０よりも短いか、伝送ギャップ２６０と長さが等しく、伝送ギャップ２６０の期間内に位置する。伝送ギャップ２６０とタイムインターバル「Ｓ」２７０とのこれらの時間的関係は、図２においては概略的に示されていることに留意すべきである。
【００２９】
一実施形態によれば、同期信号を受信する工程は、上記ある移動無線ネットワークの測定ジョブとは別個に受信する工程（すなわち、上記ある移動無線ネットワークのいずれの測定ジョブとも独立して（特に、対応する伝送ギャップが設定されている測定ジョブによるリクエストまたはジョブ割当には基づかずに）、他の移動無線ネットワークの同期信号を受信する工程）を含んでいる。
【００３０】
一実施形態によれば、上記ある移動無線ネットワークの測定ジョブ用に伝送ギャップが設定されており、測定ジョブが実行されていない期間に同期信号が受信される。
【００３１】
一実施形態によれば、同期信号を受信する工程は、上記ある移動無線ネットワークから他の移動無線ネットワークへと専用の通信リンクをハンドオーバーするハンドオーバー工程の一部としては実行されない。例えば、移動無線ネットワーク１は、移動無線ネットワーク２に関する測定命令を発行しておらず、移動無線ネットワーク１に存在する専用の通信リンクは、移動無線ネットワーク２に移される予定もない。
【００３２】
本発明の一実施形態によれば、専用の通信リンクは終了し、その後、当該専用の通信リンクとは別個に当該専用の通信リンクの期間に受信した同期信号に基づいて、別の専用の通信リンクを他の移動無線ネットワークに対して確立する。
【００３３】
各実施形態によれば、本発明は、様々な移動無線標準（例えば、セルラー標準）に関連して使用可能である。様々な移動無線標準としては、例えば、ＧＳＭ（“Global System for Mobile Communications”）、ＵＭＴＳ（“Universal Mobile Telecommunications System”）、またはＬＴＥ（“Long Term Evolution”）が挙げられる。
【００３４】
一実施形態によれば、伝送ギャップは、ＧＳＭの移動無線標準における検索フレーム（“Search frame”）であってもよい。
【００３５】
一実施形態によれば、ＵＭＴＳの移動無線標準における圧縮モードギャップ（“Compressed Mode Gap”）であってもよい。
【００３６】
一実施形態によれば、本発明は、マルチモードの端末、すなわち、複数のセルラー標準を同時にサポートする端末で使用可能である。上記マルチモードの端末では、あるセルラー標準を使用するネットワークでの専用リンク中に、別のセルラー標準を使用する別のネットワークのセルとの同期が維持される。これはinter RAT（様々な無線アクセス技術間で生じる同期）という技術用語によって表される。
【００３７】
一実施形態によれば、第１のネットワークにおける専用リンク中に、以前に観測されなかった別のネットワークに関するセルの検出および同期が行われる。この目的のために、他のネットワークの同期信号に加えて、システム情報を含むメッセージも受信されてもよい。送受信素子を用いて他の移動無線ネットワークのシステム情報メッセージまたは当該システム情報メッセージの時間セクション（“temporal section”）を受信する工程は、専用の通信リンクの伝送ギャップ期間に行われてもよい。
【００３８】
本発明の一実施形態によれば、他のネットワークの同期信号およびシステム情報メッセージの少なくとも一方を受信する工程は、第１のネットワークでデータを伝送するために（元々）設けられたタイムインターバル期間中に行われてもよい。
【００３９】
一実施形態によれば、他の移動無線ネットワークの隣接セルとの同期が、移動中の場合（すなわち、送受信素子が移動している場合）に維持されてもよい。この場合、送受信素子から見るとわかるように、見えている隣接セルは、再び消えたり、再び現れたりすることがあり得る。一実施形態によれば、隣接セル候補の検索（例えば、まだ認識されていない（すなわち、他のネットワークの隣接セルリストを介してまだ示されていない）隣接セルの検索）が実行される。
【００４０】
本発明の一実施形態によれば、ある移動無線カードに格納されている承認情報の項目が移動無線ネットワークに送信され、別の移動無線カードに格納されている別の承認情報の項目が、他の移動無線ネットワークに送信される。
【００４１】
本発明の一実施形態によれば、上記ある移動無線ネットワークが、あるネットワークオペレータに割り当てられ、上記他の移動無線ネットワークが別のネットワークオペレータに割り当てられる。
【００４２】
図３は、本発明の一実施形態に係る移動無線ネットワークの同期信号を受信する受信方法が示されているフローチャート（３００）を示している。図３で示されている実施形態は、上述した受信方法の他のすべての実施形態と組み合わせることができる。
【００４３】
工程３１０において、移動無線信号用の送受信素子を用いて、移動無線ネットワークとの間で専用の通信リンクを介した通信を行う。
【００４４】
工程３２０において、上記送受信素子を用いて上記専用の通信リンクにおける伝送ギャップ期間中に別の移動無線ネットワークの同期信号を受信する。ここで、上記送受信素子に対しては、他の移動無線ネットワークの信号を受信するための設定が専用の通信リンクとは別個に行われない。
【００４５】
別の実施形態によれば、特許請求の範囲中のある請求項によって規定されるすべての実施形態は、１つ以上の他の各請求項によって規定される１つ以上の他の実施形態と組み合わせることができる。
【００４６】
様々な実施形態において、移動無線ネットワークの同期信号を受信する受信方法では、移動無線信号用の送受信素子を用いて専用の通信リンクを介して移動無線ネットワークとの間で通信を行い、上記送受信素子を用いた専用の通信リンクにおける伝送ギャップ期間中に別の移動無線ネットワークの同期信号を受信する。上記送受信素子に対しては、他の移動無線ネットワークの信号を受信するための設定が専用の通信リンクとは別個に行われない。
【００４７】
様々な実施形態において、移動無線信号用の送受信素子は、専用の通信リンクを介してある移動無線ネットワークとの間で通信を行うように設定される。また、上記送受信素子は、上記専用の通信リンクにおける伝送ギャップ期間中に別の移動無線ネットワークの同期信号を受信するように設定される。この構成では、上記送受信素子は、他の移動無線ネットワークの信号を受信するための設定が専用の通信リンクとは別個に行われないようになっている。
【００４８】
本発明の一態様として、上記ある移動無線ネットワークへ専用のデータリンクでのデータ伝送が行われないような比較的短い伝送ギャップを、一時的に上記伝送ギャップ期間中に上記専用のデータリンクでデータの伝送をする必要がなくなった送受信素子を用いて代わりに別の移動無線ネットワークの同期信号を受信するために使用するという実例を考えることができる。
【００４９】
様々な実施形態には、上記ある移動無線ネットワークとの専用の通信リンク期間中に別の移動無線ネットワークの同期信号を受信したり更新したりすることができるという有利な効果がある。したがって、他の移動無線ネットワークに対して直接リンクを確立することできる。換言すれば、以前から必要な同期であって今でも必要な同期のための処理を専用の通信リンクが終了した後に行うことによって遅延が生じることがない。これにより、２つのＳＩＭカードおよび対応する各移動無線ネットワークを素早く切り替えるというフレキシブルな機能が単一の送受信素子を用いて提供される。
【００５０】
様々な実施形態では、上記方法に関する説明は、対応する装置にも適用することができる。逆に、上記装置に関する説明は、対応する方法にも適用することができる。
【００５１】
具体的な実施形態を参照して、本発明を具体的に示し、説明してきたが、当業者が、添付の特許請求の範囲に規定される発明の精神と範囲とから逸脱しない範囲で形式および詳細に対する様々な変更を行うことができることを理解すべきである。したがって、本発明の範囲は、添付の特許請求の範囲で示され、請求項と均等な意味および範囲になるようなすべての変更を採用できるものと解される。
【図１】
2012016019.tif 000003
【図２】
2012016019.tif 000004
【図３】
2012016019.tif 000005